(57)【要約】【課題】  周囲環境による影響を受けずに適正な搬送を行うことができ、しかも、迅速な発券を行うことのできる発券装置を提供する。【解決手段】  第１ロール紙搬送路２および第２ロール紙搬送路３に位置するロール紙を搬送するロール紙供給ローラ４と、ロール紙供給ローラ４の搬送方向下流側に設置された搬送ローラ１１と、ロール紙供給ローラ４および搬送ローラ１１を回転駆動させる１つの搬送駆動モータ２９と、搬送駆動モータ２９の回転駆動力をロール紙供給ローラ４に伝達する電磁クラッチ５と、切断機構により切断されたカードを待機させる待機部１９と、を備えている。【選択図】      図１
2010250579.tif 000002
【特許請求の範囲】
【請求項１】
第１ロール紙搬送路と第２ロール紙搬送路との間に設置され、前記第１ロール紙搬送路および前記第２ロール紙搬送路に位置するロール紙を搬送するロール紙供給ローラと、
前記ロール紙供給ローラの搬送方向下流側に設置された搬送ローラと、
前記ロール紙供給ローラおよび前記搬送ローラを回転駆動させる１つの搬送駆動モータと、
前記搬送駆動モータの回転駆動力を前記ロール紙供給ローラに伝達する電磁クラッチと、
前記ロール紙を切断してカードを形成する切断機構と、
前記切断機構により切断された前記カードを待機させる待機部と、
を備えていることを特徴とする発券装置。
【請求項２】
前記搬送ローラと同期して回転駆動され、前記搬送ローラが前記ロール紙の搬送方向と逆方向に回転駆動されているときに、逆方向に回転駆動されて前記ロール紙を搬送する逆転搬送ローラを備えていることを特徴とする請求項１に記載の発券装置。
【請求項３】
前記搬送ローラおよび前記逆転搬送ローラのいずれにより前記ロール紙を搬送するかを切り換える切換え機構を備えていることを特徴とする請求項２に記載の発券装置。
【請求項４】
前記待機部は、前記搬送ローラおよび前記逆転搬送ローラの配置位置に設けられていることを特徴とする請求項２または請求項３に記載の発券装置。
【発明の詳細な説明】
【技術分野】
【０００１】
本発明は発券装置に係り、特に、例えば、駐車場の駐車券発行装置などに好適であり、異なる種類のカードを発券することを可能とした発券装置に関する。
【背景技術】
【０００２】
従来から、例えば、駐車場などにおいて、駐車券などのカードを発券装置では、種類の異なる券、例えば、磁気情報が記録された磁気券（駐車券など） と、磁気情報が記録されない普通紙券（領収書など）とが、同一の発券装置で発行される場合がある。異なる種類の券を発行するためには、券種に対応した異なる種類のロール紙を装置内に準備しておき、各ロール紙を用いてそれぞれの券を発行するようになっている。
【０００３】
このような発券装置としては、例えば、異なる種類のロール紙を搬送する第１搬送面と第２搬送面とを備えるとともに、これら各第１搬送面と第２搬送論との間に、搬送ローラを設置し、搬送ローラをワンウェイクラッチ機構を介して回転駆動させることにより、第１搬送面に位置するロール紙と第２搬送面に位置するロール紙とを任意に搬送することができるようにした技術が開示されている（例えば、特許文献１参照）。
【先行技術文献】
【特許文献】
【０００４】
【特許文献１】特許第３６００３７６号公報
【発明の概要】
【発明が解決しようとする課題】
【０００５】
しかしながら、前記特許文献１に記載の発明によれば、搬送ローラをワンウェイクラッチ機構を介して回転駆動させるものであるため、ロール紙を搬送する際に、ロール紙が周囲の使用環境で湿気を帯びた場合や、厚さが薄く腰のないロール紙を用いた場合に、ロール紙に皺が生じるなどの変形により、適正な搬送を行うことができなくなるおそれがあるという問題を有している。
【０００６】
また、利用者の要求があってから、ロール紙を搬送し、所定の長さに切断してカード状にした後に、発券するものであることから、カードの発券に時間がかかり、迅速な発券を行うことができないという問題を有している。
【０００７】
本発明は前記した点に鑑みてなされたものであり、周囲環境による影響を受けずに適正な搬送を行うことができ、しかも、迅速な発券を行うことのできる発券装置を提供することを目的とするものである。
【課題を解決するための手段】
【０００８】
前記目的を達成するために請求項１に係る発明は、第１ロール紙搬送路と第２ロール紙搬送路との間に設置され、前記第１ロール紙搬送路および前記第２ロール紙搬送路に位置するロール紙を搬送するロール紙供給ローラと、
前記ロール紙供給ローラの搬送方向下流側に設置された搬送ローラと、
前記ロール紙供給ローラおよび前記搬送ローラを回転駆動させる１つの搬送駆動モータと、
前記搬送駆動モータの回転駆動力を前記ロール紙供給ローラに伝達する電磁クラッチと、
前記ロール紙を切断してカードを形成する切断機構と、
前記切断機構により切断された前記カードを待機させる待機部と、
を備えていることを特徴とする。
【０００９】
請求項２に係る発明は、請求項１において、前記搬送ローラと同期して回転駆動され、前記搬送ローラが前記ロール紙の搬送方向と逆方向に回転駆動されているときに、逆方向に回転駆動されて前記ロール紙を搬送する逆転搬送ローラを備えていることを特徴とする。
【００１０】
請求項３に係る発明は、請求項２において、前記搬送ローラおよび前記逆転搬送ローラのいずれにより前記ロール紙を搬送するかを切り換える切換え機構を備えていることを特徴とする。
【００１１】
請求項４に係る発明は、請求項２または請求項３において、前記待機部は、前記搬送ローラおよび前記逆転搬送ローラの配置位置に設けられていることを特徴とする。
【発明の効果】
【００１２】
請求項１に係る発明によれば、１つの搬送駆動モータにより、電磁クラッチを介してロール紙供給ローラを回転駆動させることにより、第１ロール紙搬送路および第２ロール紙搬送路に位置するロール紙を搬送するようにしているので、周囲環境による影響を受けずに、確実にロール紙を搬送することができる。また、切断機構により切断されたカードを待機させる待機を設けるようにしているので、利用者から要求があった場合に、既に切断されて待機しているカードを搬送することにより、迅速にカードの発券を行うことができる。
【００１３】
請求項２に係る発明によれば、搬送ローラがロール紙の搬送方向と逆方向に回転駆動されているときに、逆方向に回転駆動されてロール紙を搬送する逆転搬送ローラを備えているので、１つの搬送駆動モータにより搬送する場合であっても、第１ロール紙搬送路および第２ロール紙搬送路に位置するロール紙を確実に搬送することができる。
【００１４】
請求項３に係る発明によれば、搬送ローラおよび逆転搬送ローラのいずれによりロール紙を搬送するかを切り換える切換え機構を備えているので、第１ロール紙搬送路または第２ロール紙搬送路のいずれに位置するロール紙を搬送する場合であっても、確実に搬送することができる。
【００１５】
請求項４に係る発明によれば、待機部を搬送ローラおよび逆転搬送ローラの配置位置に設けるようにしているので、搬送ローラまたは逆転搬送ローラによりカードを保持した状態で待機させることができる。
【図面の簡単な説明】
【００１６】
【図１】本発明に係る発券装置の実施形態の内部構成を示す概略構成図である。
【図２】本発明に係る発券装置の実施形態の駆動機構を示す概略構成図である。
【図３】本発明に係る発券装置にカード処理装置が連結された状態を示す概略構成図である。
【図４】本発明に係る発券装置およびカード処理装置の制御構成を示すブロック図である。
【図５】本発明に係る発券装置の動作を示すフローチャートである。
【発明を実施するための形態】
【００１７】
以下、本発明の実施の形態について図面を参照しながら説明する。
【００１８】
図１は、本発明に係る発券装置の実施形態を示す概略構成図である。発券装置本体１の下方には、上下方向に延在する第１ロール紙搬送路２および第２ロール紙搬送路３がそれぞれ形成されており、発券装置本体１の下方に設置された図示しないロール紙がこれら各第１ロール紙搬送路２および第２ロール紙搬送路３に供給されるように構成されている。なお、これら各第１ロール紙搬送路２および第２ロール紙搬送路３には、同一種類のロール紙を供給するようにしてもよいし、異なる種類のロール紙を供給するようにしてもよい。
【００１９】
各第１ロール紙搬送路２および第２ロール紙搬送路３の間には、ロール紙供給ローラ４が回転駆動自在に配設されており、このロール紙供給ローラ４には、電磁クラッチ５を介して回転駆動力が伝達されるようになっている。そして、この電磁クラッチ５を切り換えることにより、ロール紙供給ローラ４を両方向に任意に回転駆動させるとともに、回転力を伝達させないようにすることができるように構成されている。ロール紙供給ローラ４の両側には、第１ロール紙搬送路２および第２ロール紙搬送路３を挟んで圧接される圧接ローラ６，６が配設されている。
【００２０】
第１ロール紙搬送路２および第２ロール紙搬送路３は、上方において、互いの間隔が狭くなるようにテーパ状に形成されており、この第１ロール紙搬送路２および第２ロール紙搬送路３のテーパ部分の間には、下部搬送ローラ７が回転駆動自在に配設されている。下部搬送ローラ７には、電磁クラッチ８を介して回転駆動力が伝達されるようになっており、下部搬送ローラ７の両側には、第１ロール紙搬送路２および第２ロール紙搬送路３を挟んで圧接される圧接ローラ９，９が配設されている。
【００２１】
発券装置本体１の上方一側には、ロール紙を排出するカード排出口１０が形成されており、このカード排出口１０の近傍には、搬送ローラとしての上部搬送ローラ１１が回転駆動自在に配設されている。上部搬送ローラ１１には、電磁クラッチ１２を介して回転駆動力が伝達されるようになっており、上部搬送ローラ１１には、この上部搬送ローラ１１に圧接される圧接ローラ１３が配設されている。上部搬送ローラ１１の下方には、保持ローラ１４が回転自在に配設されている。
【００２２】
上部搬送ローラ１１の近傍には、切り換え機構としての逆転搬送用ソレノイド１５が配設されており、逆転搬送用ソレノイド１５には、逆転揺動レバー１６の一端部が連結されている。逆転揺動レバー１６の他端部には、逆転搬送ローラ１７が回転自在に軸支されている。上部搬送ローラ１１と逆転搬送ローラ１７との間には、駆動ベルト１８が掛け渡されており、逆転搬送ローラ１７は、上部搬送ローラ１１の回転駆動により、同一方向に回転駆動されるように構成されている。また、逆転搬送用ソレノイド１５の駆動により、逆転揺動レバー１６が揺動され、これにより、逆転搬送ローラ１７が、保持ローラ１４に対して接離動作できるように構成されている。このとき、上部搬送ローラ１１は、逆転搬送ローラ１７が保持ローラ１４に対して接している状態または離隔している状態のいずれの状態においても、圧接ローラ１３と圧接状態に保持されている。本実施形態においては、上部搬送ローラ１１および逆転搬送ローラ１７の設置位置が、待機部１９とされている。
【００２３】
上部搬送ローラ１１の上方には、ロール紙を排出するカード排出口１０に連通し、発券装置本体１の上方に傾斜して延在する待機路２０が形成されており、この待機路２０の下方には、待機ローラ２１が回転駆動自在に配設されている。待機ローラ２１には、電磁クラッチ２２を介して回転駆動力が伝達されるようになっており、待機ローラ２１の上方には、この待機ローラ２１に圧接される圧接ローラ２３が配設されている。なお、この待機路２０は、発券装置が後述するカード処理装置に連結された際に、カード処理装置から送られるカードが待機する場所として機能するものであり、発券装置単体で使用する場合には、必ずしも必要ではない。
【００２４】
また、保持ローラ１４と下部搬送ローラ７との間には、ロール紙を切断してカードを形成するロータリカッタ２４が配設されており、ロータリカッタ２４の近傍には、カット用モータ２５が配設されている。カット用モータ２５とロータリカッタ２４とは、カット用モータ２５の回転駆動によりロータリカッタ２４を回転駆動させるためのカッタクランク２６により連結されている。
【００２５】
さらに、保持ローラ１４の上方近傍には、ロール紙の有無を検出するモータ逆転用センサ２７が配設されており、上部搬送ローラ１１の上方近傍には、ロール紙の有無を検出するカットセンサ２８が配設されている。
【００２６】
また、図２に示すように、発券装置本体１の下方には、搬送駆動モータ２９が配設されており、ロール紙供給ローラ４には、給紙ローラ用タイミングプーリ３０が同軸状に取付けられている。発券装置本体１の中央付近には、中央タイミングプーリ３１が回転自在に配設されており、搬送駆動モータ２９、給紙ローラ用タイミングプーリ３０および中央タイミングプーリ３１の間には、タイミングベルト３２が掛け渡されている。また、発券装置本体１の上部には、上部タイミングプーリ３３が回転自在に配設されており、中央タイミングプーリ３１と上部タイミングプーリ３３との間には、タイミングベルト３４が掛け渡されている。
【００２７】
中央タイミングプーリ３１の外周には、ギアが形成されており、この中央タイミングプーリ３１のギアには、伝達ギア３５を介して下部搬送ローラ７の電磁クラッチ８のギアが噛合されている。また、上部タイミングプーリ３３の外周には、ギアが形成されており、この上部タイミングプーリ３３のギアには、上部搬送ローラ１１の電磁クラッチ１２のギアが噛合されている。さらに、上部タイミングプーリ３３のギアには、待機ローラ２１の電磁クラッチ２２のギアが噛合されている。このように本実施形態においては、搬送駆動モータ２９の回転駆動により、ロール紙供給ローラ４、下部搬送ローラ７、上部搬送ローラ１１および待機ローラ２１が回転駆動されるようになっている。そして、各電磁クラッチ８，１２，２２は、ＯＮ状態で、搬送駆動モータ２９の回転駆動力をロール紙供給ローラ４、下部搬送ローラ７および上部搬送ローラ１１にそれぞれ伝達することができるようになっており、電磁クラッチ８，１２，２２をＯＦＦにすることにより、搬送駆動モータ２９の回転駆動力を伝達しないように構成されている。なお、電磁クラッチＯＮとは、電流を流すことでクラッチをつなぐことを意味し、電磁クラッチＯＦＦとは電流の流れを止めることでクラッチを切ることを意味している。
【００２８】
また、本実施形態においては、前述の発券装置は、例えば、駐車場の発券装置として利用されるものであり、この場合には、図３に示すように、発券装置にカード処理装置が連結されて用いられるようになっている。
【００２９】
次に、このカード処理装置について説明する。
【００３０】
カード処理装置の処理装置本体４０の一端面には、発券装置のカード排出口１０に連通するカード搬送口４１が処理装置本体４０の他端面には、カードを取出すためのカード取り出し口４２が形成されている。
【００３１】
処理装置本体４０の内部には、カード搬送口４１からカード取り出し口４２に向かって直線状に延在する主搬送路４３が形成されており、処理装置本体４０の内部のカード搬送口４１寄りには、主搬送路４３から処理装置本体４０の下方に向かって分岐する待機路４４が形成されている。この待機路４４の下端部は、第１カード回収口４５に連通しており、待機路４４には、処理装置本体４０の下面に沿って延在し、第２カード回収口４６に連通する回収路４７が形成されている。
【００３２】
主搬送路４３のカード搬送口４１の近傍およびカード取り出し口４２の近傍には、主搬送路４３の下方に位置する搬送ローラ４８が図示しない駆動モータにより回転駆動自在に配設されており、これら各搬送ローラ４８，４８には、主搬送路４３の上方に位置し搬送ローラ４８にそれぞれ圧接される圧接ローラ４９，４９が配設されている。
【００３３】
また、主搬送路４３、待機路４４および回収路に沿って搬送用プーリ５０，５０…に掛け渡された搬送ベルト５１が配設されており、この搬送ベルト５１により、主搬送路４３、待機路４４および回収路４７に位置するカードを搬送することができるように構成されている。また、各搬送用プーリ５０には、それぞれ搬送ベルト５１を介してベルト圧接ローラ５２，５２…が圧接されるようになっている。このように、搬送ベルト５１を各搬送用プーリ５０，５０…に掛け渡すことにより、搬送ベルト５１が第１カード回収口４５および第２カード回収口４６の近傍まで配設されることになるので、第１カード回収口４５および第２カード回収口４６の周辺におけるカードのジャムの発生を防止することができるものである。
【００３４】
また、主搬送路４３と待機路４４との分岐部分には、待機切換え部材５３が回動自在に取付けられており、待機切換え部材５３は、回動動作により、その上部先端部を、待機路４４を閉塞して主搬送路４３を解放する位置と、主搬送路４３を閉鎖して待機路４４を解放する位置との間で切り換えできるように構成されており、待機切換え部材５３が主搬送路４３を閉鎖した状態で、待機用圧接ローラ５４が搬送用プーリ５０に搬送ベルト５１を介して圧接されるように構成されている。
【００３５】
第１カード回収口４５の近傍には、回収切換え部材５５が回動自在に配設されており、回収切換え部材５５は、回動動作により、回収切換え部材５５の下端部が第１カード回収口４５を解放する位置（図３中実線で示す）と、回収切換え部材５５の下端部が第１カード回収口４５を閉塞して待機路４４と回収路４７とを連通させる位置（図３中破線で示す）との間で切り換えできるように構成されている。
【００３６】
また、搬送ベルト５１よりカード搬送口４１寄りには、主搬送路４３に対向するように磁気ヘッド５６が配設されており、磁気ヘッド５６の上方には、磁気ヘッド圧接ローラ５７が配設されている。磁気ヘッド５６は、図示しないソレノイドにより昇降自在とされており、カードの磁気情報を読み取り、書き込みを行う場合にのみ、磁気ヘッド５６を上昇させて磁気ヘッド圧接ローラ５７に圧接されるように構成されている。
【００３７】
さらに、磁気ヘッド５６と搬送ローラ４８との間には、カードに対して所定の情報を書き込むためのサーマルヘッド５８が主搬送路４３に対向するように配設されており、サーマルヘッド５８の下方には、サーマルヘッド圧接ローラ５９が配設されている。
【００３８】
次に、本実施形態における制御構成について説明する。本実施形態においては、発券装置およびカード処理装置を、駐車場の駐車券発券装置に適用した場合について説明する。
【００３９】
本実施形態においては、発券装置の各部署を総括的に制御する発券側制御部６０を備えており、この発券側制御部６０には、搬送駆動モータ２９が接続されており、搬送駆動モータ２９により、ロール紙供給ローラ４、下部搬送ローラ７、上部搬送ローラ１１および待機ローラ２１の駆動を制御するように構成されている。また、発券側制御部６０には、逆転搬送用ソレノイド１５が接続されており、発券側制御部６０により逆転搬送用ソレノイド１５の動作制御を行うように構成されている。さらに、発券側制御部６０には、カット用モータ２５が接続されており、発券側制御部６０により、カット用モータ２５の駆動を制御してロール紙の切断を行うように構成されている。
【００４０】
また、カード処理装置の各部署を総括的に制御するカード処理側制御部６１を備えており、このカード処理側制御部６１には、搬送駆動部６２が接続されており、搬送駆動部６２により、搬送ローラ４８および搬送ベルト５１の駆動を制御するように構成されている。また、カード処理側制御部６１には、切り換え制御部６３が接続されており、この切り換え制御部６３により、待機切換え部材５３および回収切換え部材５５の切り換え制御を行うように構成されている。さらに、カード処理側制御部６１には、磁気ヘッド５６およびサーマルヘッド５８がそれぞれ接続されており、カード処理側制御部６１により、磁気ヘッド５６によるカード情報の読み取り、書き込みを行うとともに、サーマルヘッド５８によるカードへの情報の記録を行うように構成されている。
【００４１】
次に、本実施形態の作用について、フローチャートを参照して説明する。
【００４２】
まず、あらかじめ第１ロール紙搬送路２および第２ロール紙搬送路３の下方にそれぞれロール紙を設置しておく。
【００４３】
そして、第１ロール紙搬送路２のロール紙を搬送する場合は（ＳＴ１）、搬送駆動モータ２９を、図１において、反時計方向に回転駆動させることにより（ＳＴ２）、ロール紙供給ローラ４、下部搬送ローラ７および上部搬送ローラ１１を反時計方向に回転駆動させる。これにより、第１ロール紙搬送路２のロール紙は、ロール紙供給ローラ４と圧接ローラ６、下部搬送ローラ７と圧接ローラ９とにより挟持されて上方に向けて搬送される。
【００４４】
その後、ロール紙の先端部が上部搬送ローラ１１と圧接ローラ１３との間に挟持されて、この上部搬送ローラ１１により搬送され、カットセンサ２８により、ロール紙の先端部が検出されたら（ＳＴ３）、搬送駆動モータ２９を停止させ（ＳＴ４）、カット用モータ２５を駆動してロータリカッタ２４を回転させることにより、ロール紙を切断してカードを形成する（ＳＴ５）。この状態で、カードは、上部搬送ローラ１１と圧接ローラ１３とにより挟持されて待機部１９に待機される（ＳＴ６）。
【００４５】
一方、第２ロール紙搬送路３のロール紙を搬送する場合は（ＳＴ７）、搬送駆動モータ２９を、図１において、時計方向に回転駆動させることにより（ＳＴ８）、ロール紙供給ローラ４、下部搬送ローラ７および上部搬送ローラ１１を時計方向に回転駆動させる。これにより、ロール紙は、ロール紙供給ローラ４と圧接ローラ６、下部搬送ローラ７と圧接ローラ９とにより挟持されて上方に向けて搬送される。
【００４６】
この場合に、上部搬送ローラ１１は、図１において反時計方向に回転しているため、このままでは、上部搬送ローラ１１によりロール紙を搬送することができない。そのため、本実施形態においては、ロール紙の先端部がモータ逆転用センサ２７により検出されたら（ＳＴ９）、ロール紙供給ローラ４の電磁クラッチ５および下部搬送ローラ７の電磁クラッチ８をＯＦＦに切り換えて搬送駆動モータ２９の回転力が伝達されないようにする（ＳＴ１０）。これとともに、逆転搬送用ソレノイド１５を動作させて、逆転搬送ローラ１７を保持ローラ１４に圧接させる（ＳＴ１１）。この状態で、搬送駆動モータ２９を逆方向に回転駆動させることにより（ＳＴ１２）、逆転搬送ローラ１７を図１において時計方向に回転させて、逆転搬送ローラ１７と保持ローラ１４との間でロール紙を挟持して、ロール紙を上方に引き上げるように搬送するようになっている。その後、ロール紙の上端部が、上部搬送ローラ１１部分に搬送されると、ロール紙は、上部搬送ローラ１１と圧接ローラ１３とにより挟持されて、逆転搬送ローラ１７とともに上方に向けて搬送される。そして、カットセンサ２８により、ロール紙の先端部が検出されたら（ＳＴ３）、搬送駆動モータ２９を停止させ（ＳＴ４）、カット用モータ２５を駆動してロータリカッタ２４を回転させることにより、ロール紙を切断し、カードを形成する（ＳＴ５）。この状態で、カードは、上部搬送ローラ１１と圧接ローラ１３とにより挟持されて待機部１９に待機される（ＳＴ６）。
【００４７】
そして、カード処理装置から、カードの要求があったら、上部搬送ローラ１１を回転駆動させることにより、カードをカード排出口１０およびカード搬送口４１を介してカード処理装置の内部に搬送する。カード処理装置においては、搬送ローラを駆動することにより、カードを搬送しながら、サーマルヘッド５８によりカードの上面に所定の事項を記録するとともに、磁気ヘッド５６によりカードの下面に所定の情報を記録する。その後、カードは、搬送ベルト５１および搬送ローラによりカード取り出し口４２から排出される。
【００４８】
なお、カード処理装置での処理に応じてカードを待機させる必要があり場合には、本実施形態においては、カード処理装置の搬送ローラ４８および搬送ベルト５１を回転駆動させて、カードをカード搬送口４１およびカード排出口１０を介して発券装置側の待機路２０に搬送することにより、発券装置において、カードの待機を行うことができる。
【００４９】
以上述べたように本実施形態においては、１つの搬送駆動モータ２９により、電磁クラッチ５を介してロール紙供給ローラ４を回転駆動させることにより、第１ロール紙搬送路２および第２ロール紙搬送路３に位置するロール紙を搬送するようにしているので、周囲環境による影響を受けずに、確実にロール紙を搬送することができる。また、切断機構により切断されたカードを待機させる待機を設けるようにしているので、利用者から要求があった場合に、既に切断されて待機しているカードを搬送することにより、迅速にカードの発券を行うことができる。
【００５０】
また、搬送ローラがロール紙の搬送方向と逆方向に回転駆動されているときに、逆方向に回転駆動されてロール紙を搬送する逆転搬送ローラ１７を備えているので、１つの搬送駆動モータ２９により搬送する場合であっても、第１ロール紙搬送路２および第２ロール紙搬送路３に位置するロール紙を確実に搬送することができる。
【００５１】
なお、本発明は前記実施形態に限定されるものではなく、本発明の趣旨に基づいて種々の変形が可能である。
【符号の説明】
【００５２】
１  発券装置本体
２  第１ロール紙搬送路
３  第２ロール紙搬送路
４  ロール紙供給ローラ
５  電磁クラッチ
７  下部搬送ローラ
１０  カード排出口
１１  上部搬送ローラ
１４  保持ローラ
１５  逆転搬送用ソレノイド
１９  待機部
２１  退避ローラ
２４  ロータリカッタ
２７  モータ逆転用センサ
２８  カットセンサ
２９  搬送駆動モータ
４１  カード搬送口
５６  磁気ヘッド
５８  サーマルヘッド
【図１】
2010250579.tif 000003
【図２】
2010250579.tif 000004
【図３】
2010250579.tif 000005
【図４】
2010250579.tif 000006
【図５】
2010250579.tif 000007